(57)【特許請求の範囲】
【請求項１】
複数個のマイクロホンと接続される音入力受信装置と、演奏情報および歌詞文字情報を含む複数種類の楽曲情報を記憶する記憶手段とを備え、前記記憶手段に記憶された複数種類の楽曲情報から選択された楽曲情報に含まれる演奏情報に基づいて楽曲の再生を行い、前記選択された楽曲情報に含まれる歌詞文字情報が表す歌詞文字を歌詞文字表示装置に表示させるカラオケ装置であって、
前記選択された楽曲情報に含まれる歌詞文字情報と、前記音入力受信装置の前記複数個のマイクロホンとの接続状態を表す接続情報と、前記記憶手段に予め設定された歌詞の色分け表示単位とに基づいて色分けされた歌詞文字群を生成する歌詞文字情報生成手段と、
前記歌詞文字情報生成手段により生成され且つ色分けされた歌詞文字を前記歌詞文字表示装置に表示させる歌詞文字情報表示手段と、
を、含み、
前記マイクロホンは、
複数種類の色で発光可能な多色発光体と、
複数種類の周波数信号のうち指定された１つの周波数信号を決定する周波数信号決定手段と、
前記周波数信号決定手段により決定された周波数信号に基づいて発光色を決定し、決定された前記発光色で前記多色発光体を発光させる多色発光体駆動手段とを、備えた
ことを特徴とするカラオケ装置。
【請求項２】
前記複数個のマイクロホンは、異なる周波数信号を送信するものであり、
前記音入力受信装置は、前記複数個のマイクロホンから送信された周波数信号を受信し、前記複数個のマイクロホンと異なるチャンネルでそれぞれ接続するものであり、
前記接続情報は、前記複数個のマイクロホンのうちの前記音入力受信装置との間で有効に接続された前記マイクロホンの個数を表すものである
ことを特徴とする請求項１に記載のカラオケ装置。
【請求項３】
前記歌詞文字情報生成手段は、
前記音入力受信装置が有効に接続した前記マイクロホンの個数に基づいて、前記マイクロホンの発光色と前記色分けされた歌詞文字の色とが同じ色にする
ことを特徴とする請求項１に記載のカラオケ装置。
【請求項４】
前記記憶手段に記憶された複数種類の楽曲情報から所定の楽曲情報を選択し、選択された楽曲を選曲予約させる選曲用リモコン装置を備え、
前記音入力受信装置との間で有効に接続された前記マイクロホンの個数に基づいて、前記記憶手段に記憶された複数種類の楽曲情報から推奨楽曲情報を抽出する推奨楽曲情報抽出手段と、
前記推奨楽曲情報抽出手段により抽出された推奨楽曲情報を前記選曲用リモコン装置に表示させる推奨楽曲表示手段と
を、含むことを特徴とする請求項１から請求項３のいずれか１に記載のカラオケ装置。
【発明の詳細な説明】
【技術分野】
【０００１】
本発明は、複数のマイクロホンが接続されカラオケ装置において、各マイクロホンを持った複数の歌唱者が１つの楽曲の歌詞を歌唱する場合に、歌詞文字表示器に表示される歌詞文字のどの部分から歌唱を開始するかを容易に把握することが可能とするカラオケ装置に関する。
【背景技術】
【０００２】
多数の楽曲のうちから選択される所定の楽曲を出力させるカラオケ装置が知られている。斯かるカラオケ装置において、選曲された楽曲がデュエット曲であるか否かを判断し、デュエット曲であれば、カラオケ装置本体の前面に設けられた発光表示器にデュエット曲であることを示す発光表示を行うとともに、歌詞文字表示器に表示されるデュエット曲の歌詞文字を、男性パートおよび女性パートを異なる色で表示することで、男性が歌唱する部分と女性が歌唱する部分とを識別可能とすることが行われている。たとえば、特許文献１および特許文献２に記載のカラオケ装置がその一例である。
【先行技術文献】
【特許文献】
【０００３】
【特許文献１】特許第４１８２７８１号公報
【特許文献２】特開平０９−２１２１７７号公報
【発明の概要】
【発明が解決しようとする課題】
【０００４】
しかし、上記従来のカラオケ装置では、歌詞文字表示装置に表示される歌詞文字のうち、マイクロホンを持った歌唱者自身がどの部分を歌唱する歌詞部分であるかがは、歌詞文字が表示さえるまで不明である。このため、歌い出しで戸惑いが発生し、歌い出しのタイミングがずれるという問題が発生していた。
また、たとえば４人が歌唱する楽曲を２人で歌唱する場合などでも、歌詞文字表示器に表示される歌詞文字のどの部分を２人の歌唱者が歌唱するかの迷いが発生し、円滑な歌唱が困難となる場合があった。
【０００５】
本発明は、以上の事情を背景として為されたものであり、その目的とするところは、複数のマイクロホンをそれぞれ持った複数の歌唱者が所定の楽曲の歌詞を歌唱する場合に、歌詞文字表示器に表示される歌詞文字のどの部分を歌唱すべきかを容易に把握することを可能とするカラオケ装置を提供することにある。
【課題を解決するための手段】
【０００６】
第１発明の要旨とするところは、（ａ）複数個のマイクロホンと接続される音入力受信装置と、演奏情報および歌詞文字情報を含む複数種類の楽曲情報を記憶する記憶手段とを備え、前記記憶手段に記憶された複数種類の楽曲情報から選択された楽曲情報に含まれる演奏情報に基づいて楽曲の再生とを行い、前記選択された楽曲情報に含まれる歌詞文字情報が表す歌詞文字を歌詞文字表示装置に表示させるカラオケ装置であって、（ｂ）前記選択された楽曲情報に含まれる歌詞文字情報と、前記音入力受信装置の前記複数個のマイクロホンとの接続状態を表す接続情報と、前記記憶手段に予め設定された歌詞の色分け表示単位とに基づいて色分けされた歌詞文字群を生成する歌詞文字情報生成手段と、（ｃ）前記歌詞文字情報生成手段により生成され且つ色分けされた歌詞文字を前記歌詞文字表示装置に表示させる歌詞文字情報表示手段とを、含み、（ｄ）前記マイクロホンは、複数種類の色で発光可能な多色発光体と、複数種類の周波数信号のうち指定された１つの周波数信号を決定する周波数信号決定手段と、前記周波数信号決定手段により決定された周波数信号に基づいて発光色を決定し、決定された前記発光色で前記多色発光体を発光させる多色発光体駆動手段とを、備えたことにある。
【０００７】
第２発明の要旨とするところは、第１発明において、（ｅ）前記複数のマイクロホンは、相互に異なる周波数信号を発信するものであり、（ｆ）前記音入力受信装置は、前記複数個のマイクロホンから送信された周波数信号を受信し、前記複数個のマイクロホンと相互に異なるチャンネルでそれぞれ接続するものであり、（ｇ）前記接続情報は、前記複数個のマイクロホンのうちの前記音入力受信装置との間で有効に接続された前記マイクロホンの個数を表すものであることにある。
【０００９】
第３発明の要旨とするところは、第１発明において、（ｈ）前記歌詞文字情報生成手段は、前記音入力受信装置が有効に接続した前記マイクロホンの個数に基づいて、前記マイクロホンの発光色と前記色分けされた歌詞文字の色とが同じ色にすることにある。
【００１０】
第４発明の要旨とするところは、第１発明から第３発明のいずれか１の発明において、（ｉ）前記記憶手段に記憶された複数種類の楽曲情報から所定の楽曲情報を選択し、選択された楽曲を選曲予約させる選曲用リモコン装置を備え、（ｊ）前記音入力受信装置との間で有効に接続された前記マイクロホンの個数に基づいて、前記記憶手段に記憶された複数種類の楽曲情報から推奨楽曲情報を抽出する推奨楽曲情報抽出手段と、（ｋ）前記推奨楽曲情報抽出手段により抽出された推奨楽曲情報を前記選曲用リモコン装置に表示させる推奨楽曲表示手段とを、含むことにある。
【発明の効果】
【００１１】
第１発明によれば、前記選択された楽曲情報に対応する歌詞文字情報から、前記音入力受信装置の前記複数個のマイクロホンとの接続状態を表す接続情報と前記記憶手段に予め設定された歌詞の色分け表示単位とに基づいて色分けされた歌詞文字群を生成する歌詞文字情報生成手段と、前記歌詞文字情報生成手段により生成され且つ色分けされた歌詞文字を前記歌詞文字表示装置に表示させる歌詞文字情報表示手段とが、備えられるので、マイクロホンをそれぞれ持った複数の歌唱者のうちの所定の歌唱者は、歌詞文字表示装置に表示された歌詞文字のうちのその所定の歌唱者に対応する色で表示された一群の歌詞文字を歌唱タイミングの前に予め認識することができる。これにより、マイクロホンをそれぞれ持った複数の歌唱者が１つの楽曲の歌詞を歌唱する場合に、歌詞文字表示装置に表示される歌詞文字のどの部分を歌唱するかを容易に把握することを可能とするカラオケ装置を提供することができる。また、前記マイクロホンは、複数種類の色で発光可能な多色発光体と、予め設定された複数種類の周波数のうちの設定操作により指定された１つの周波数信号を決定する周波数信号決定手段と、前記周波数信号決定手段により決定された周波数信号の周波数に基づいて発光色を決定し、決定された前記発光色で前記多色発光体を発光させる多色発光体駆動手段とを、含む。このため、マイクロホンから出力される周波数信号がどの周波数（チャンネル）で出力されるかを目視可能となる。
【００１２】
第２発明によれば、前記音入力受信装置は、前記複数個のマイクロホンから送信された周波数信号を受信し、前記複数個のマイクロホンと異なるチャンネルでそれぞれ接続するものであり、前記接続情報は、前記複数個のマイクロホンのうちの前記音入力受信装置との間で有効に接続された前記マイクロホンの個数を表すものである。これにより、マイクロホンをそれぞれ持った複数の歌唱者が１つの楽曲の歌詞を歌う場合に、歌詞文字表示装置に表示される歌詞文字のどの部分を歌唱するかを容易に把握することを可能とするカラオケ装置を提供することができる。
【００１４】
第３発明によれば、前記歌詞文字情報生成手段は、前記音入力受信装置が有効に接続した前記マイクロホンの個数に基づいて、前記マイクロホンの発光色と前記色分けされた歌詞文字の色とが同じ色にすることから、マイクロホンをそれぞれ持った複数の歌唱者のうちの所定の歌唱者は、歌詞文字表示装置に表示された歌詞文字のうちのその所定の歌唱者が持つマイクロホンに表示された色と同じ色の文字色で表示された一群の歌詞文字を歌唱タイミングの前に予め認識することができる。
【００１５】
第４発明によれば、前記記憶手段に記憶された複数種類の楽曲情報から所定の楽曲情報を選択し、選択された楽曲を選曲予約させる選曲用リモコン装置を備え、前記音入力受信装置との間で有効に接続された前記マイクロホンの個数に基づいて、前記記憶手段に記憶された複数種類の楽曲情報から推奨楽曲情報を抽出する推奨楽曲情報抽出手段と、前記推奨楽曲情報抽出手段により抽出された推奨楽曲情報、たとえば複数の推奨楽曲情報の一覧表を、前記選曲用リモコン装置に表示させる推奨楽曲表示手段とを、含むことから、選曲用リモコン装置を用いた選曲操作時に、マイクロホンの接続状況に合った前記推奨楽曲情報を見て選曲することができる利点がある。
【図面の簡単な説明】
【００１６】
【図１】本発明の一実施例のカラオケ装置の構成の要部を説明するブロック線図である。
【図２】図１のカラオケ装置に設けられるマイクレシーバの構成の要部を説明するブロック線図である。
【図３】図１のカラオケ装置の電子制御手段，音入力受信装置の電子制御手段、ワイヤレスマイクロホンの電子制御手段のそれぞれの制御機能の要部を説明する機能ブロック線図である。
【図４】図３の歌詞文字情報生成手段により生成される、デュエット曲でない楽曲の歌詞文字群の表示例を説明する図である。
【図５】図３の歌詞文字情報生成手段により生成される歌詞文字群の表示例であって、１本のワイヤレスマイクロホンが接続された場合の色分け表示を説明する図である。
【図６】図３の歌詞文字情報生成手段により生成される歌詞文字群の表示例であって、２本のワイヤレスマイクロホンが接続された場合の色分け表示を説明する図である。
【図７】図３の歌詞文字情報生成手段により生成される歌詞文字群の表示例であって、３本のワイヤレスマイクロホンが接続された場合の色分け表示を説明する図である。
【図８】図３の歌詞文字情報生成手段により生成される歌詞文字群の表示例であって、４本のワイヤレスマイクロホンが接続された場合の色分け表示を説明する図である。
【図９】図３の歌詞文字情報生成手段により生成される、デュエット曲ある楽曲の歌詞文字群の表示例を説明する図である。
【図１０】図９の歌詞文字情報生成手段により生成される歌詞文字群の表示例であって、１本のワイヤレスマイクロホンが接続された場合の色分け表示を説明する図である。
【図１１】図９の歌詞文字情報生成手段により生成される歌詞文字群の表示例であって、２本のワイヤレスマイクロホンが接続された場合の色分け表示を説明する図である。
【図１２】図９の歌詞文字情報生成手段により生成される歌詞文字群の表示例であって、３本のワイヤレスマイクロホンが接続された場合の色分け表示を説明する図である。
【図１３】図９の歌詞文字情報生成手段により生成される歌詞文字群の表示例であって、４本のワイヤレスマイクロホンが接続された場合の色分け表示を説明する図である。
【図１４】図１のカラオケ装置に備えられるワイヤレスマイクロホンの制御作動の要部を説明するフローチャートである。
【図１５】図１のカラオケ装置に備えられるマイクレシーバの制御作動の要部を説明するフローチャートである。
【図１６】図１のカラオケ装置の制御作動の要部の前半を説明するフローチャートである。
【図１７】図１のカラオケ装置の制御作動の要部の後半を説明するフローチャートである
【発明を実施するための形態】
【００１７】
以下、本発明の好適な実施例を図面に基づいて詳細に説明する。
【実施例】
【００１８】
図１は、本発明の一実施例のカラオケ装置１０の構成を例示するブロック線図である。カラオケ装置１０は、たとえばカラオケ店舗の各部屋内にそれぞれ１台ずつ設置され、店舗内ネットワークＬＡＮにより相互に接続されるとともに、マスタとして機能するカラオケ装置１０は、ネットワークＮＷを介して配信用ホスト装置（サーバ）１２にも接続されている。カラオケ装置１０は、カラオケ装置１０を制御するための電子制御手段１４と、各種の情報を送受信する通信制御手段１６と、ネットワークＮＷを介して配信用ホスト装置（サーバ）１２から配信された多数の楽曲情報を記憶するハードディスクなどの記憶手段１８と、楽曲の検索および検索や電源のオン・オフなどの行うための操作パネル２０と、たとえばタッチパネルディスプレイのような操作パネル２０と同様に楽曲の検索および予約を行うための遠隔操作可能なリモコン装置２２と、そのリモコン装置２２との間で情報を授受するリモコン用送受信機２４と、操作パネル２０やリモコン用送受信機２４からの信号を受け付けて処理し、電子制御手段１４へ入力させる操作制御部２６と、選択された楽曲の再生を行うシンセサイザ２８と、複数個（本実施例では４個）のワイヤレスマイクロホン３０ａ〜３０ｄから送信された信号を受けるマイクレシーバ３２と、シンセサイザ２８からの音楽情報にかかる電気信号とマイクレシーバ３２からのマイクロホン３０ａ〜３０ｄのいずれかに入力された歌声を表す電気信号とを混合して増幅するミキシングアンプ３４と、ミキシングアンプ３４からの電気信号を受けて伴奏曲及び歌唱者の歌声を出力するスピーカ３６と、電子制御手段１４によって生成された歌詞文字情報を記憶するビデオＲＡＭ３８と、画像情報を再生する映像再生装置４０と、歌詞文字及び歌詞の背景映像を出力する映像制御部４２と、映像制御部４２から出力された歌詞文字および背景映像を表示する表示装置４４とを、備える。
【００１９】
（カラオケ装置）
以下において、カラオケ装置１０の構成を個別に説明する。電子制御手段１４は、ＣＰＵ、ＲＡＭ、ＲＯＭ等を備える所謂マイクロコンピュータから構成され、たとえば記憶手段１８やＲＯＭに予め記憶されたプログラムに従って入力信号を処理する。予約曲テーブルに登録する選曲予約制御、その予約曲テーブルの演奏順に従って記憶手段１８からＲＡＭに選曲楽曲（楽曲情報）を読み出す楽曲情報読出制御、楽曲の演奏進行に応じてそのＲＡＭからシンセサイザ２８へ後述する楽曲情報に含まれる演奏情報を送信する演奏出力制御、その演奏出力制御に際してＲＡＭに一時記憶された楽曲情報に含まれる歌詞情報に基づいて歌詞文字映像を生成して映像再生装置４０へ送信する歌詞文字映像出力制御、演奏出力制御に際して映像再生装置４０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御を実行する。
【００２０】
電子制御手段１４は、選曲楽曲がデュエット曲であるときにそのデュエット曲の途中において歌唱パートを示す色の切替表示を行う。
【００２１】
通信制御手段１６は、店舗内ネットワークＬＡＮやネットワークＮＷを介して通信用ホスト装置（サーバ）１２や他のカラオケ装置１０との間で各種の信号を送受信する。操作パネル２０は、利用者がカラオケ曲の選択や演奏アレンジの切り換えを行ったりするものであり、カラオケ装置１０の前面に設けられている。
【００２２】
リモコン用送受信手段２４は、後述するリモコン装置２２から送信された操作信号を受信する。受信した操作信号から操作情報を生成し、操作情報を操作制御部２６および電子制御手段１４に送信する。リモコン用受信手段２４は、電子制御手段１４からの情報をリモコン装置２２の表示器に表示させる。
【００２３】
記憶手段１８は、楽曲データベースをはじめとする各種データベースを備える。楽曲データベースは、カラオケ装置１０により楽曲の演奏出力（カラオケ演奏）を行うための多数（例えば、数万曲）の楽曲情報（カラオケデータ）を記憶する。楽曲情報は、カラオケ装置１０において出力される各楽曲に対応して前記楽曲データベースに記憶されている。
【００２４】
楽曲情報は、例えば、メタデータ、演奏情報としてのＭＩＤＩデータ、及び歌詞文字情報としてのテロップデータを含んでいる。このメタデータは、例えば、各楽曲情報の識別情報としての曲番号（選曲番号）、曲名、歌手名、登録日時等の情報を含んでいる。テロップデータは、各楽曲の歌詞文字映像表示制御を行うための情報である。歌詞文字映像表示制御は、例えば、前記楽曲情報に含まれる歌詞を複数に区分した各区分に相当するブロックデータを含んでいる。ＭＩＤＩデータは、シンセサイザ２８を介して各楽曲の演奏出力制御を行うための情報であり、複数種類の楽器にそれぞれ対応する複数のトラック（チャンネル）を備え、各トラックにおいて対応する楽器の演奏音の出力タイミングが定められている。
【００２５】
記憶手段１８は、配信用ホスト装置（サーバ）１２から送信された複数種類の楽曲情報を予め記憶する。また、複数の楽曲情報を予め記憶する楽曲情報領域を備える。
【００２６】
操作パネル２０は、電源のオン・オフ、カラオケ装置１０の利用者による歌唱楽曲の検索や選択、楽曲の演奏出力に係る音程の調整、演奏と歌との音量バランスを調整、及びエコーと、音量と、トーンとなどの各種調整を行うための画像を表示するタッチパネルディスプレイ、操作ボタン（スイッチ）、或いはつまみを備える。
【００２７】
シンセサイザ２８にはミキシングアンプ３４が接続されており、このミキシングアンプ３４にはスピーカ３６が接続されている。電子制御手段１４によって記憶手段１８から読み出された楽曲情報に含まれる演奏情報に基づいてシンセサイザ２８から楽音信号が出力される。楽音信号は、ミキシングアンプ３４で増幅された後スピーカ３６から出力される。また、後述するワイヤレスマイクロホン３０から入力された音を表すデジタル音信号がミキシングアンプ３４により増幅され、アナログに変換された楽音信号とがスピーカ３６から出力される。
【００２８】
映像制御部４２には、ビデオＲＡＭ３８、映像再生手段４０、および表示装置４４が接続されている。映像制御部４２は、ビデオＲＡＭ３８および映像再生手段４０から出力される映像信号と歌詞情報とに基づいて、歌詞文字と背景映像とを表示装置４４に表示させる。
【００２９】
（リモコン装置）
リモコン装置２２は、利用者の指示に基づいて楽曲情報を表示させる。また、リモコン装置２２は、利用者の指示に基づいて、楽曲情報に含まれる選曲番号をカラオケ装置１０のリモコン用送受信手段３４に送信する。リモコン装置２２は、カラオケ装置１０のリモコン用送受信手段２４により送信された表示情報に基づいて画像を表示させる。
【００３０】
（マイクロホン）
複数本のマイクロホン３０は、赤外線ワイヤレスマイクロホン、電波によるワイヤレスマイクロホン、ワイヤードマイクロホンのいずれであってもよいが、本実施例では、４本の赤外線ワイヤレスマイクロホン３０ａ〜３０ｄが用いられる。ワイヤレスマイクロホン３０ａ〜３０ｄは、リング状の多色発光体５０ａ〜５０ｄと、図３に示す送信周波数選択スイッチＳＷａ〜ＳＷｄと、複数種類の搬送波のうち送信周波数選択スイッチＳＷａ〜ＳＷｄの操作に対応する周波数信号を発生させる図示しない周波数信号発生手段、図示しないマイクロホン内電子制御手段、図示しない変調手段と、赤外線発光体５１ａ〜５１ｄとをそれぞれ備えている。
【００３１】
送信周波数選択スイッチＳＷａ〜ＳＷｄは、たとえば２ＭＨｚ帯或いは３ＭＨｚ帯に設定された複数種類の搬送周波数に対応する複数の送信チャネルから１つの送信チャネルにて構成される。利用者によって１つの送信チャネルが設定されると、所定周波数の搬送波が周波数信号発生手段から発生させられる。
【００３２】
変調手段では、マイクロホン３０ａ〜３０ｄに入力された音信号が送信チャネルの搬送周波数に基づいてＦＭ変調され、ＦＭ変調された搬送周波数の音搬送信号が赤外線発光体５１ａ〜５１ｄの赤外線によって送信される。
【００３３】
マイクロホン内電子制御手段は、予め設定された関係から、設定された送信チャネルの搬送周波数に基づいて多色発光体５０ａ〜５０ｄの発光色を決定し、決定した色にて多色発光体５０ａ〜５０ｄが発光するように多色発光体５０ａ〜５０ｄを駆動する。
【００３４】
多色発光体５０ａ〜５０ｄは、マイクロホン内電子制御手段において決定された色を発光する。
【００３５】
多色発光体５０ａ〜５０ｄは、たとえば、発光色の異なる複数種類のＬＥＤチップからなるＬＥＤ素子や、発光色の異なる複数種類のＬＥＤが組み付けられた発光器から構成される。
【００３６】
周波数信号発生手段は、周波数信号出力手段として機能し、マイクロホン内電子制御手段は、多色発光体５０ａ〜５０ｄを駆動する多色発光体駆動手段として機能している。
【００３７】
マイクレシーバ３２は、音入力受信装置として機能するものであり、図２に詳しく示すように、ワイヤレスマイクロホン３０ａ〜３０ｄの赤外線発光体５１ａ〜５１ｄからそれぞれ送信された赤外線の音搬送信号を受信し、受信した赤外線の音搬送信号を電気信号に変換する赤外線受光体を有する赤外線受信手段３２ａと、赤外線受光体３２ａにより受信された赤外線中から各搬送周波数毎に音搬送信号を分離する周波数分離器３２ｂと、周波数分離器３２ｂにより分離された音搬送信号をＦＭ復調し、ＦＭ復調された音搬送信号から音信号を抽出する複数の復調器３２ｃと、復調器３２ｃによって抽出された音信号を予め設定されたゲインでそれぞれ増幅する複数の増幅器３２ｄと、増幅器３２ｄによって増幅された音信号を合波してミキシングアンプ３４へ出力する合波器３２ｅと、ワイヤレスマイクロホン３０ａ〜３０ｄとマイクレシーバ３２との間の接続情報、すなわち周波数分離器３２ｂにより分離された音搬送信号の数すなわち接続（受信）が有効に成立したチャンネル数およびそのチャンネルの種類（搬送周波数）を表す接続情報を生成してカラオケ装置１０の電子制御手段１４へ送信するマイク電子制御手段３２ｆとを備えている。このマイク電子制御手段３２ｆは、接続情報をカラオケ装置１０へ出力する接続情報出力手段として機能している。
【００３８】
図３は、カラオケ装置１０の電子制御手段１４の制御機能、マイクレシーバ３２のマイク電子制御手段３２ｆの制御機能、およびワイヤレスマイクロホン３０ａ〜３０ｄ内の電子制御手段の制御機能の要部をそれぞれ説明する機能ブロック線図である。
【００３９】
図３において、たとえば、ワイヤレスマイクロホン３０ａの内の電子制御手段は、送信周波数選択スイッチＳＷａ〜ＳＷｄを２ＭＨｚ帯或いは３ＭＨｚ帯の複数種類の搬送周波数に対応する複数の送信チャネルから１つの送信チャネルが設定された場合、設定された送信チャネルの所定周波数の搬送波が周波数信号発生器から発生させる周波数信号決定手段６０と、予め設定された関係から、周波数信号決定手段６０により決定された１つの搬送周波数に基づいて多色発光体５０ａ〜５０ｄの発光色を決定し、決定された色で発光するように多色発光体５０ａ〜５０ｄを駆動する多色発光体駆動手段６２とを、備える。上記予め設定されが関係とは、２．０６ＭＨｚは赤色、２．５６ＭＨｚは青色、３．２ＭＨｚは黄色、３．７ＭＨｚは緑色というように、搬送周波数と色との関係が予め設定れている。
【００４０】
マイクレシーバ３２のマイク電子制御手段３２ｆは、ワイヤレスマイクロホン３０ａ〜３０ｄとマイクレシーバ３２との間の接続情報を生成し、カラオケ装置１０の電子制御手段１４へ送信する接続情報出力手段６４を備えている。具体的には、接続情報出力手段６４は、周波数分離機３２ｂによる分離された音搬送信号の数、または、赤外線受信手段３２ａが受信したチャネル数およびチャネルの種類（搬送周波数）を表す接続情報を生成してカラオケ装置１０の電子制御手段１４へ送信する。接続情報は、音搬送信号又はチャネルの個数を示す数字であってもよいし、チャネルの種類（搬送周波数）を示す周波数種類であってもよい。
【００４１】
カラオケ装置１０の電子制御手段１４は、演出手段４６、歌詞文字情報生成手段７４と、歌詞文字情報表示手段７６と、推奨楽曲情報抽出手段７８と、推奨楽曲表示手段８０とを備えている。演出装置４６は、電子制御手段１４から送信された表示情報をリモコン装置２２に送信し、リモコン装置２２の表示器に表示させる。また、演出装置４６は、選曲予約された楽曲情報がデュエット曲であるときには、そのデュエット曲の途中において歌詞文字のうちで歌唱パートの色分け表示をリモコン装置２２の表示器に表示させる。
【００４２】
歌詞文字情報生成手段７４は、リモコン装置２２から送信された選曲番号に基づく楽曲情報の歌詞文字情報と、マイクレシーバ３２とワイヤレスマイクロホン３０ａ〜３０ｄとの接続状態を表す接続情報と、記憶手段１８に予め設定された歌詞の色分け表示単位とに基づいて、色分けされた歌詞文字群を生成する。この歌詞文字群とは、歌詞として意味のある最小単位に歌詞を区分したものをブロックとするブロックデータと、そのブロックデータが１個以上で構成されたものである。
【００４３】
歌詞文字情報生成手段７４は、予め設定された関係から、マイクレシーバ３２が有効に接続したワイヤレスマイクロホン３０の個数（本数）および搬送周波数に基づいて歌詞文字群の生成を実行する。具体的には、マイクレシーバ３２が有効に接続したワイヤレスマイクロホン３０の多色発光体５０ａ〜５０ｄの発光色と同じ色の文字色で歌詞文字群の色分けを実行するため、記憶手段１８は、搬送周波数に関連付けて色の情報を示す色情報と、歌詞の色を分ける色分け表示単位を記憶する。色分け表示単位は、楽曲毎の楽曲情報に含まれる歌詞を複数に区分したブロックデータの数と、有効接続されたマイクロホンの本数毎とに基づいて設定される。
【００４４】
歌詞文字情報生成手段７４は、選曲楽曲の種類および接続情報に含まれる搬送周波数に基づいて、記憶手段１８に記憶された色情報を読み出し、読み出された色情報と色分け表示単位とに基づいて色分けされた歌詞文字群を生成し、生成された歌詞文字群にて構成された歌詞文字を生成する。
【００４５】
歌詞文字情報表示手段７６は、歌詞文字情報生成手段７４により生成された歌詞文字群の歌詞文字を、歌詞文字表示装置として機能する表示装置４４に表示させる。
【００４６】
以下において、歌詞文字情報生成手段７４により生成され、表示装置４４に表示される歌詞文字群毎に色分けされた歌詞文字の一例を、選曲楽曲がデュエット曲でない場合の例を図４〜図８を用いて説明し、選曲楽曲がデュエット曲である場合の例を図９〜１３を用いて説明する。
【００４７】
図４は、デュエット曲でない歌詞文字の色分けをしていない表示例である。ここで、カラオケ事業者が最大４５文字を表示可能文字とし、４５文字以内で歌詞文字が表示装置４４に表示されるように歌詞テロップを作成する。具体的には、歌詞として意味のある最小単位に歌詞であって、カラオケユーザである利用者（歌唱者）が歌唱し易い歌詞文字の長さのブロックに分けたブロックデータが歌詞文字情報に含まれている。歌詞文字情報に含まれるブロックデータは、１小節分或いは２小節分の長さに整合する歌詞文字分の長さとするのではなく、歌いやすい長さに設定された、「さくら」をブロック１とし、「さくら」をブロック２とし、「やよいの空は」をブロック３とし、「見わたす限り」をブロック４とする。ブロック１及びブロック２を表示装置４４に表示される１行目として歌詞文字群１とし、ブロック３およびブロック４を歌詞文字群２として２行目に表示されるように、歌詞文字群が歌詞文字情報に含まれる。
【００４８】
図４は、選曲予約された楽曲の楽曲情報がカラオケ装置１０によって再生されたときに、表示装置４４に表示された歌詞文字を表している。歌詞文字は、歌詞文字情報に含まれる歌詞文字群およびブロックデータに基づき、一行目に「さくら  さくら」が、二行目に「やよいの空は  見わたす限り」が表示装置４４に表示される。
【００４９】
図５は、１本のワイヤレスマイクロホン３０ａの接続が成立している場合の表示例を示す。この表示例において、歌詞文字１００の１行目の左端「さく」は歌唱するタイミングを示す歌唱歌詞文字１０２である。歌唱歌詞文字１０２は、歌唱タイミングを示す図５以降の歌唱歌詞文字１０２の文字の中が斜線であるが、実際には塗りつぶされているものとする。歌詞文字１０２の塗りつぶされる色は、ワイヤレスマイクロホン３０ａの多色発光体５０ａの発光色と同じ色である。たとえば、ワイヤレスマイクロホン３０ａの多色発光体５０ａの発光色が緑色であれば、歌唱歌詞文字１０２は緑色で塗りつぶされる。また、歌唱タイミングが到来していないことを示す白抜き文字で示される未歌唱文字１０４についても、ワイヤレスマイクロホン３０ａの多色発光体５０ａの発光色が緑色であれば、その未歌唱文字１０４を示す白抜き文字の枠の色も緑色で表示される。１本のワイヤレスマイクロホン３０ａの多色発光体５０ａの発光色と同じ色で、歌唱歌詞文字１０２および未歌唱文字１０４が表示される。
【００５０】
図６は、２本のワイヤレスマイクロホン３０ａ、３０ｂの接続が成立している場合の表示例を示す。この表示例において、たとえば、ワイヤレスマイクロホン３０ａの多色発光体５０ａの発光色が緑色であれば、１行目の左端「さく」で示される歌唱歌詞文字１０２および１行目の右半分の「ら  さくら」で示される未歌唱文字１０６の白抜き文字の枠の色は緑色で塗りつぶされる。ワイヤレスマイクロホン３０ｂの多色発光体５０ｂの発光色が赤色であった場合は、２行目の「やよいの空は  見わたす限り」という未歌唱文字１０８の白抜き文字の枠の色は赤色で表示される。すなわち、緑色と赤色とが歌詞文字群の単位で交互に色分けされる。
【００５１】
図７は、３本のワイヤレスマイクロホン３０ａ、３０ｂ、３０ｃの接続が成立している場合の表示例を示している。この表示例において、ワイヤレスマイクロホン３０ａの多色発光体５０ａの発光色が緑色であれば、１行目の左端「さく」で示される歌唱歌詞文字１０２および１行目の「ら」で示される未歌唱文字１１０の白抜き文字の枠の色は緑色で塗りつぶされる。ワイヤレスマイクロホン３０ｂの多色発光体５０ｂの発光色が赤色であった場合は、１行目の右半分の「さくら」で示される未歌唱文字１１２の白抜き文字の枠の色は赤色で塗りつぶされる。ワイヤレスマイクロホン３０ｃの多色発光体５０ｃの発光色が青色であれば、２行目の左半分の「やよいの空は」という未歌唱文字１１４の白抜き文字の枠の色は青色で表示される。そして、２行目の右半分の「見わたす限り」という未歌唱文字１１６の白抜き文字の枠の色は、ワイヤレスマイクロホン３０ａの多色発光体５０ａの発光色と同じ緑色で表示される。すなわち、緑色と赤色と青色とが歌詞文字群単位で繰り返し色分け表示される。
【００５２】
図８は、４本のワイヤレスマイクロホン３０ａ、３０ｂ、３０ｃ、３０ｄの接続が成立している場合の表示例を示している。この表示例において、ワイヤレスマイクロホン３０ａの多色発光体５０ａの発光色が緑色であれば、１行目の左端「さく」で示される歌唱歌詞文字１０２および１行目の「ら」で示される未歌唱文字１１０の白抜き文字の枠の色は緑色で塗りつぶされる。ワイヤレスマイクロホン３０ｂの多色発光体５０ｂの発光色が赤色であった場合は、１行目の右半分の「さくら」で示される未歌唱文字１１２の白抜き文字の枠の色は緑色で塗りつぶされる。ワイヤレスマイクロホン３０ｃの多色発光体５０ｃの発光色が青色であれば、２行目の左半分の「やよいの空は」という未歌唱文字１１４の白抜き文字の枠の色は青色で表示される。そして、ワイヤレスマイクロホン３０ｄの多色発光体５０ｄの発光色が黄色であれば、２行目の右半分の「見わたす限り」という未歌唱文字１１６の白抜き文字の枠の色は、黄色で表示される。すなわち、緑色と赤色と青色と黄色とが歌詞文字群単位で繰り返し色分け表示される。
【００５３】
図９は、デュエット曲の歌詞文字の色分けをしていない表示例である。この場合も、カラオケ業者が最大４５文字を表示可能文字とし、それ以内で歌詞テロップを作成する。具体的には、歌詞として意味のある最小単位の歌詞であって、カラオケユーザである利用者（歌唱者）が歌唱し易い歌詞文字長さのブロックデータが歌詞文字情報に含まれる。歌詞文字情報に含まれるブロックデータは、１小節分或いは２小節分の長さに整合する歌詞文字群の長さとするのではなく、歌いやすい長さに設定された、「陽射しも」をブロッック１とし、「あたたかくて」をブロック２とし、「風の香りも穏やか」をブロック３とし、「みんなの笑顔が広がる春」をブロック４とし、「心もうきうきして」をブロック５とし、「今にもスキップしそう」をブロック６とする。歌詞文字群としては、ブロック１およびブロック２を表示装置４４で１行目に表示される歌詞文字群１、ブロック３を２行目に表示される歌詞文字群２、ブロック３を３行目に表示される歌詞文字群３、ブロック４およびブロック５を４行目に表示される歌詞文字群４が、歌詞文字情報に含まれる。また、ブロックデータと歌詞文字群との歌詞文字の長さは同じであってもよい。例えば、「陽射しも」をブロッック１とし、「あたたかくて」をブロック２として説明したが、「陽射しもあたたかくて」が１つのブロックとして構成されてもよい。また、歌詞文字情報にブロックデータが含まれなくてもよく、歌詞文字群のみ構成された歌詞文字であってもよい。
【００５４】
図９は、選曲予約されたデュエット楽曲の楽曲情報がカラオケ装置１０によって再生されたときに、表示装置４４に表示された歌詞文字を示している。歌詞文字１２０は、歌詞文字情報に含まれる歌詞文字群及びブロックデータに基づき、１行目に「陽射しもあたたかくて」と、２行目に「風の香りも穏やか」と、３行目に「みんなの笑顔が広がる春」と、４行目に「心もうきうきして今にもスキップしそう」とが、表示装置４４に表示される。
【００５５】
図１０は、１本のワイヤレスマイクロホン３０ａの接続が成立している場合の表示例を示している。この表示例において、歌詞文字１２０の１行目の左端「陽射しも」は歌唱するタイミングを示す歌唱歌詞文字１２２である。歌唱歌詞文字１２２は、歌唱タイミングを示す図１１以降の歌唱歌詞文字１２２の文字の中が斜線であるが、実際には塗りつぶされているものとする。歌唱歌詞文字１２２の塗りつぶされる色は、ワイヤレスマイクロホン３０ａの多色発光体５０ａの発光色と同じ色である。たとえば、ワイヤレスマイクロホン３０ａの多色発光体５０ａの発光色が緑色であれば、歌唱歌詞文字１２２は緑色で塗りつぶされる。また、歌唱タイミングが到来していないことを示す白抜き文字で示される１行目の右半分および２行目〜４行目の未歌唱文字１２４についても、ワイヤレスマイクロホン３０ａの多色発光体５０ａの発光色が緑色であれば、その未歌唱文字１０４を示す白抜き文字の枠の色も緑色で表示される。１本のワイヤレスマイクロホン３０ａの多色発光体５０ａの発光色と同じ色で、歌唱歌詞文字１２２および未歌唱文字１２４が表示される。
【００５６】
図１１は、２本のワイヤレスマイクロホン３０ａ、３０ｂの接続が成立している場合の表示例を示している。この表示例において、たとえば、ワイヤレスマイクロホン３０ａの多色発光体５０ａの発光色が緑色であれば、１行目の左端「陽射しも」という歌唱歌詞文字１２２および１行目の右半分の「あたたかくて」で示される未歌唱文字１２６の白抜き文字の枠の色は緑色で塗りつぶされる。ワイヤレスマイクロホン３０ｂの多色発光体５０ｂの発光色が赤色であった場合は、２行目の「風の香りも穏やか」という未歌唱文字１２８の白抜き文字の枠の色は赤色で表示される。また、３行目の「みんなの笑顔が広がる春」という未歌唱文字１３０の白抜き文字の枠の色は緑色で表示され、４行目の「心もうきうきして今にもスキップしそう」という未歌唱文字１３２の白抜き文字の枠の色は赤色で表示される。すなわち、緑色と赤色とが歌詞文字群の単位で交互に色分けされる。
【００５７】
図１２は、３本のワイヤレスマイクロホン３０ａ、３０ｂ、３０ｃの接続が成立している場合の表示例を示している。この表示例において、ワイヤレスマイクロホン３０ａの多色発光体５０ａの発光色が緑色であれば、１行目の左端「陽射しも」という歌唱歌詞文字１２２および１行目の右半分の「あたたかくて」で示される未歌唱文字１２６の白抜き文字の枠の色は緑色で塗りつぶされる。ワイヤレスマイクロホン３０ｂの多色発光体５０ｂの発光色が赤色であった場合は、２行目の「風の香りも穏やか」という未歌唱文字１２８の白抜き文字の枠の色は赤色で表示される。また、ワイヤレスマイクロホン３０ｃの多色発光体５０ｃの発光色が青色であれば、３行目の「みんなの笑顔が広がる春」という未歌唱文字１３０の白抜き文字の枠の色は青色で表示される。そして、４行目の「心もうきうきして今にもスキップしそう」という未歌唱文字１３２の白抜き文字の枠の色は緑色で表示される。すなわち、緑色と赤色と青色とで歌詞文字群の単位で交互に色分けされる。
【００５８】
図１３は、４本のワイヤレスマイクロホン３０ａ、３０ｂ、３０ｃ、３０ｄの接続が成立している場合の表示例を示している。この表示例において、この表示例において、ワイヤレスマイクロホン３０ａの多色発光体５０ａの発光色が緑色であれば、１行目の左端「陽射しも」という歌唱開始文字および１行目の右半分の「あたたかくて」で示される未歌唱文字１２６の白抜き文字の枠の色は緑色で塗りつぶされる。ワイヤレスマイクロホン３０ｂの多色発光体５０ｂの発光色が赤色であった場合は、２行目の「風の香りも穏やか」という未歌唱文字１２８の白抜き文字の枠の色は赤色で表示される。また、ワイヤレスマイクロホン３０ｃの多色発光体５０ｃの発光色が青色であれば、３行目の「みんなの笑顔が広がる春」という未歌唱文字１３０の白抜き文字の枠の色は青色で表示される。そして、ワイヤレスマイクロホン３０ｄの多色発光体５０ｄの発光色が黄色であれば、４行目の「心もうきうきして今にもスキップしそう」という未歌唱文字１３２の白抜き文字の枠の色は黄色で表示される。すなわち、緑色と赤色と青色と黄色とが歌詞文字群単位で繰り返し色分け表示される。
【００５９】
ワイヤレスマイクロホン３０の多色発光体５０の発光色と同じ色にて歌詞文字群毎に色分けられた歌詞文字の表示において、ワイヤレスマイクロホン３０ａ〜３０ｄのいずれか１つを持った歌唱者は、そのワイヤレスマイクロホン３０ａ〜３０ｄのいずれか１つの多色発光体５０の発光色と同じ色で表示された歌詞文字群に着目していれば、歌唱するタイミングに戸惑うことが好適に解消される。また、４人で歌唱する楽曲を２人で歌唱するために２本のワイヤレスマイクロホン３０ａおよび３０ｂを接続することで、２人の歌唱者は自分の持っているワイヤレスマイクロホン３０ａおよび３０ｂの多色発光体５０ａおよび５０ｂの発光色と同じ色で表示された歌詞文字群に基づいて歌唱することができ、歌唱に迷うことが好適に解消される。
【００６０】
図３に戻って、推奨楽曲情報曲抽出手段７８は、予め記憶された関係から、マイクレシーバ３２との間で有効に接続されたワイヤレスマイクロホン３０の個数に基づいて、記憶手段１８に記憶された複数の楽曲情報から推奨楽曲情報を抽出する。具体的には、マイクレシーバ３２から送信された接続情報に含まれるマイックレシーバ３２との間で有効に接続されたワイヤレスマイクロホン３０の本数に基づいて、複数の楽曲情報から推奨楽曲情報を抽出する。例えば、マイクレシーバ３２との間との間で有効に接続されたワイヤレスマイクロホン３０の本数が「２」である場合、複数の楽曲情報から２人で歌唱するデュエット曲或いは２パートで歌唱する楽曲を推奨楽曲情報として抽出する。また、ワイヤレスマイクロホン３０の個数が「３」またはそれ以上であれば、２人または３人以上で歌唱する曲或いは２または２以上のパートで歌唱する楽曲を推奨楽曲情報として抽出する。さらに、抽出された楽曲情報には予め歌唱に最適な人数の情報である歌唱最適人数情報が含まれており、マイクレシーバ３２との間で有効に接続されたワイヤレスマイクロホン３０の本数と楽曲情報に含まれる歌唱最適人数情報との数が一致する楽曲情報を推奨楽曲情報として抽出してもよい。
【００６１】
推奨楽曲情報抽出手段７８は、マイクレシーバ３２との間で有効に接続されたワイヤレスマイクロホン３０の搬送周波数の種類が接続情報に含まれる場合、搬送周波数の種類の数と歌唱最適人数情報との数が一致する楽曲情報を推奨楽曲情報とする。
【００６２】
推奨楽曲表示手段８０は、推奨楽曲情報抽出手段７８により抽出された推奨楽曲情報をリモコン装置２２の表示器に表示させる。具体的には、推奨楽曲情報抽出手段７８によって抽出された推奨楽曲情報の選曲番号がリモコン用送受信手段２４からリモコン装置２２に送信される。リモコン装置２２は受信した選曲番号に基づいて該当する楽曲の曲名、歌手、歌い出しの歌詞などをリモコン装置２２の表示器に表示させる。また、リモコン装置用送受信手段２４からリモコン装置２２に推奨楽曲情報の選曲番号が送信される説明をしたが、カラオケ装置１０から配信用ホスト装置１２に推奨楽曲情報が送信されるようにしてもよい。カラオケ装置１０から配信ホスト装置１２に推奨楽曲情報が送信された場合、配信用ホスト装置１２とリモコン装置２２とが通信可能であって、配信用ホスト装置１２からリモコン装置２２に推奨楽曲情報が送信され、リモコン装置２２の表示器に推奨楽曲情報が表示されてもよい。
【００６３】
図１４から図１７は、ワイヤレスマイクロホン３０内の電子制御手段、マイクレシーバ３２内のマイク電子制御手段３２ｆ、カラオケ装置１０の電子制御手段１４により実行され制御の一例を示すフローチャートであり、繰り返し実行されるものである。図１４は、ワイヤレスマイクロホン３０において実行される制御作動を示し、図１５はマイクレシーバ３２において実行される制御作動を示し、図１６および図１７はカラオケ装置１０において実行される制御作動を示している。
【００６４】
図１４において、たとえばワイヤレスマイクロホン３０ａでは、先ず、ステップ（以下、ステップを省略する）Ｓ１において、ワイヤレスマイクロホン３０ａの電源が投入されたか否かが判断される。このＳ１の判断が否定される場合はＳ１が繰り返し実行されるが、肯定された場合は、Ｓ２において、送信周波数選択スイッチＳＷａ〜ＳＷｄに予め設定された複数種類の搬送周波数のうちの１つが設定され、設定された搬送周波数が発生させられる。その搬送周波数はワイヤレスマイクロホン３０ａに入力された音が変調され，変調された信号が赤外線を介してマイクレシーバ３２へ送信される。
【００６５】
次いで、周波数信号決定手段６０に対応するＳ３では、設定された１つの搬送周波数に基づいて、多色発光体５０ａの発光色が決定される。具体的には、ワイヤレスマイクロホン３０ａに設定された搬送周波数に基づいて、予め設定された関係から多色発光体５０ａの発光色が決定される。
【００６６】
多色発光体駆動手段６２に対応するＳ４において、決定された発光色で多色発光体５０ａを発光させるように、多色発光体５０ａが駆動決定される。
【００６７】
図１５において、マイクレシーバ３２では、先ず、Ｓ１０において、ワイヤレスマイクロホン３０ａ〜３０ｄのいずれかから送信された搬送周波数の接続（受信）が有効に成立したか否かが判断される。このＳ１０の判断が否定される場合はＳ１０の判断が繰り返し実行されるが、肯定される場合は、接続情報出力手段６４に対応するＳ１１において、ワイヤレスマイクロホン３０ａ〜３０ｄとマイクレシーバ３２との間の接続情報がカラオケ装置１０の電子制御手段１４に送信される。具体的には、周波数分離器３２ｂにより分離された音搬送信号の数すなわち接続（受信）が有効に成立したチャンネル数、およびそのチャンネルの種類（搬送周波数）を表す接続情報を生成してカラオケ装置１０の電子制御手段１４へ送信される。
【００６８】
図１６において、カラオケ装置１０の電子制御手段１４では、先ずＳ２０において、接続（受信）が有効に成立したチャンネル数、およびそのチャンネルの種類（搬送周波数）を表す接続情報をマイクレシーバ３２から受信したか否かが判断される。このＳ２０の判断が否定される場合はＳ２０が繰り返されるが、肯定される場合は、Ｓ２１において、その接続（受信）が有効に成立したチャンネル数、およびそのチャンネルの種類（搬送周波数）を表す接続情報がＲＡＭに記憶される。
【００６９】
Ｓ２２において、ＲＡＭに一時記憶された接続情報に基づいて、使用されているワイヤレスマイクロホン３０の個数が算出される。具体的には、接続情報に含まれるチャンネル数、およびそのチャンネルの種類（搬送周波数）に基づいてワイヤレスマイクロホン３０ａ〜３０ｄのうちの使用されているワイヤレスマイクロホンの本数が算出される。
【００７０】
次いで、推奨曲情報抽出手段７８に対応するＳ２３では、記憶手段１８に記憶されている複数の楽曲情報から、Ｓ２２において算出されたワイヤレスマイクロホンの本数に基づいて、推奨楽曲情報が決定される。具体的には、Ｓ２２において算出されたワイヤレスマイクロホンが２本である場合には、記憶手段１８に記憶されている複数の楽曲情報からデュエット曲に関係する楽曲情報が推奨楽曲情報として抽出される。
【００７１】
そして、推奨楽曲表示手段８０に対応するＳ２４では、Ｓ２３において決定された推奨楽曲情報が、リモコン装置２２の表示器に表示される。具体的には、推奨楽曲情報の選曲番号をカラオケ装置１０のリモコン用送受信手段２４からリモコン装置２２に送信される。リモコン装置２２は送信された推奨楽曲情報の選曲番号に基づいて、たとえば曲番号（選曲番号）、曲名、歌手名、歌いだし歌詞などを含む一覧表がリモコン装置２２の表示器に表示される。
【００７２】
続いて、図１７のＳ２５においては、所定の楽曲が選曲予約されたか否かが判断される。このＳ２５の判断が否定される場合はＳ２５が繰り返し実行されるが、肯定される場合は、歌詞文字情報生成手段７４に対応するＳ２６およびＳ２７が実行されるとともに、歌詞文字情報表示手段７６に対応するＳ２８が実行される。
【００７３】
Ｓ２６においては、Ｓ２１においてＲＡＭに記憶されたマイクレシーバ３２が有効に接続したワイヤレスマイクロホン３０の本数および搬送周波数に基づいて、その接続されたワイヤレスマイクロホン３０の周波数に基づいて、ワイヤレスマイクロホン３０の多色発光体５０の発光色と同じ色となるように歌詞文字の表示色が決定される。
【００７４】
Ｓ２７においては、Ｓ２６において決定された色の歌詞文字群で構成された歌詞文字が生成される。
【００７５】
そして、Ｓ２８においては、Ｓ２７において生成された歌詞文字が、デュエット曲でない楽曲の場合は図４〜図８に例示されるように、デュエット曲である場合は図９から図１３に例示される。歌詞文字は、選曲楽曲の再生に同期して表示器４４において逐次表示される。
【００７６】
上述のように、本実施例によれば、本実施例のカラオケ装置１０によれば、選曲された楽曲情報に含まれる歌詞文字情報と、マイクレシーバ（前記音入力受信装置）３２の複数個のワイヤレスマイクロホン３０ａ〜３０ｄとの接続状態を表す接続情報と、記憶手段１８に予め設定された歌詞の色分け表示単位とに基づいて色分けされた歌詞文字群を生成する歌詞文字情報生成手段７４と、歌詞文字情報生成手段７４により生成され色分けされた歌詞文字を表示装置（歌詞文字表示装置）４４に表示させる歌詞文字情報表示手段７６とが、備えられるので、ワイヤレスマイクロホン３０ａ〜３０ｄのいずれかをそれぞれ持った複数の歌唱者のうちの所定の歌唱者は、表示装置４４に表示された歌詞文字のうちのその所定の歌唱者に対応する色で表示された一群の歌詞文字を歌唱タイミングの前に予め認識することができる。これにより、ワイヤレスマイクロホン３０ａ〜３０ｄのいずれかをそれぞれ持った複数の歌唱者が１つの楽曲の歌詞を歌う場合に、表示器４４に表示される歌詞文字のどの部分を歌唱するかを容易に把握することを可能とするカラオケ装置を提供することができる。
【００７７】
また、本実施例のカラオケ装置１０によれば、マイクレシーバ（音入力受信装置）３２は、複数個のワイヤレスマイクロホン３０ａ〜３０ｄから発信された信号の周波数を受信し、複数個のワイヤレスマイクロホン３０ａ〜３０ｄと相互に異なるチャンネルでそれぞれ接続するものであり、接続情報が表す前記複数個のワイヤレスマイクロホン３０ａ〜３０ｄとの接続状態は、複数個のワイヤレスマイクロホン３０ａ〜３０ｄのうちのマイクレシーバ３２との間で有効に接続されたワイヤレスマイクロホンの個数を表すものであって、歌詞文字情報生成手段７４は、その複数個のワイヤレスマイクロホン３０ａ〜３０ｄのうちのマイクレシーバ３２との間で有効に接続されたワイヤレスマイクロホンの個数と記憶手段１８に予め設定された歌詞の色分け表示単位とに基づいて色分けされた歌詞文字群を生成することができる。これにより、マイクロホン３０をそれぞれ持った複数の歌唱者が１つの楽曲の歌詞を歌う場合に、表示装置４４に表示される歌詞文字のどの部分を歌唱するかを容易に把握することを可能とするカラオケ装置を提供することができる。
【００７８】
また、本実施例のカラオケ装置１０によれば、ワイヤレスマイクロンホン３０ａ〜３０ｄは、複数種類の色で発光可能な多色発光体５０ａ〜５０ｄと、予め設定された複数種類の周波数のうちの設定操作により指定された１種類の周波数を有する主端数信号を決定する周波数信号決定手段と、予め記憶された関係から前記決定された周波数信号の周波数に基づいて決定された発光色で前記多色発光体を発光させる多色発光体駆動手段６２とを、含む。このため、ワイヤレスマイクロホン３０ａ〜３０ｄから出力される周波数信号がどの周波数（チャンネル）で出力されるかを目視可能となる。
【００７９】
また、本実施例のカラオケ装置１０によれば、歌詞文字情報生成手段７４は、予め設定された関係からマイクレシーバ（音入力受信装置）３２が有効に接続したワイヤレスマイクロホン３０の個数に基づいて、ワイヤレスマイクロンホン３０の発光色と同じ色の文字色で歌詞文字群の色分けを決定するものであることから、ワイヤレスマイクロホン３０をそれぞれ持った複数の歌唱者のうちの所定の歌唱者は、表示装置４４に表示された歌詞文字のうちのその所定の歌唱者が持つワイヤレスマイクロホン３０の多色発光体５０に表示された色と同じ色の文字色で表示された一群の歌詞文字を歌唱タイミングの前に予め認識することができる。
【００８０】
また、本実施例のカラオケ装置１０によれば、記憶手段１８に記憶された複数種類の楽曲情報から所定の楽曲情報を選択するために選曲操作されるリモコン装置２２を備え、予め記憶された関係から、マイクレシーバ（音入力受信装置）３２との間で有効に接続されたワイヤレスマイクロホン３０の個数に基づいて、記憶手段１８に記憶された複数種類の楽曲情報から推奨楽曲情報を抽出する推奨楽曲情報抽出手段７８と、推奨楽曲情報抽出手段７８により抽出された推奨楽曲情報をリモコン装置２２の表示器に表示させる推奨楽曲表示手段８０とを、含むことから、リモコン装置２２を用いた選曲操作時にマイクロホン３０の接続状況に合った推奨楽曲情報を見て選曲することができる利点がある。
【００８１】
以上、本発明の好適な実施例を図面に基づいて詳細に説明したが、本発明はこれらの実施例に限定されるものではなく、更に別の態様においても実施される。
【００８２】
例えば、前述の実施例においては、音入力装置としてワイヤレスマイクロホン３０ａ〜３０ｄが用いられていたが、ワイヤードマイクロホンがその一部または全部に替えて用いられてもよい。ワイヤードマイクロホンが用いられる場合には、その接続情報としては、たとえばワイヤードマイクロホンの接続コネクタの接続完了が検知されたことを示すものが用いられる。
【００８３】
また、前述の実施例において音入力装置として用いられているワイヤレスマイクロホン３０ａ〜３０ｄは、赤外線を介してカラオケ装置へ信号を送信するものであったが、たとえば近距離通信方式の電波を介して信号を創始するものであってもよい。
【００８４】
また、前述の図１７のＳ２５では、選曲の完了判断が肯定されてからＳ２６〜Ｓ２７における歌詞テロップの生成が開始されていたが、選曲楽曲の演奏開始判断が肯定されてからＳ２６〜Ｓ２７における歌詞テロップの生成が開始されるようにしてもよい。
【００８５】
前述の実施例では、ワイヤレスマイクロホン３０ａ〜３０ｄと音搬送信号検出器との間の接続情報、すなわち周波数分離器３２ｂにより分離された音搬送信号の数すなわち接続（受信）が有効に成立したチャンネル数、およびそのチャンネルの種類（搬送周波数）を表す信号は、マイクレシーバ３２の接続情報出力手段６４において発生させられてカラオケ装置１０の電子制御手段１４へ送信されていたが、カラオケ装置１０内に接続情報出力手段６４が備えられていて、そこで接続情報が発生させられてもよい。
【００８６】
前述の実施例では、選曲予約はリモコン装置２２を操作することにより行われていたが、カラオケ装置１０の操作パネルを操作することにより行われてもよい。その操作パネルはカラオケ装置１０から取り外し可能に設けられていてもよい。
【００８７】
その他、一々例示はしないが、本発明はその趣旨を逸脱しない範囲内において種々の変更が加えられて実施されるものである。
【符号の説明】
【００８８】
１０：カラオケ装置
１８：記憶手段
２２：リモコン装置
３０ａ〜３０ｄ：ワイヤレスマイクロホン（マイクロホン）
３２：マイクレシーバ（音入力受信装置）
４４：表示装置（歌詞文字表示装置）
５０ａ〜５０ｄ：多色発光体
６０：周波数信号決定手段 
６２：多色発光体駆動手段
６４：接続情報出力手段
７４：歌詞文字情報生成手段
７６：歌詞文字情報表示手段
７８：推奨楽曲情報抽出手段
８０：推奨楽曲表示手段
【図１】
0006626306.tif 000002
【図２】
0006626306.tif 000003
【図３】
0006626306.tif 000004
【図４】
0006626306.tif 000005
【図５】
0006626306.tif 000006
【図６】
0006626306.tif 000007
【図７】
0006626306.tif 000008
【図８】
0006626306.tif 000009
【図９】
0006626306.tif 000010
【図１０】
0006626306.tif 000011
【図１１】
0006626306.tif 000012
【図１２】
0006626306.tif 000013
【図１３】
0006626306.tif 000014
【図１４】
0006626306.tif 000015
【図１５】
0006626306.tif 000016
【図１６】
0006626306.tif 000017
【図１７】
0006626306.tif 000018